(57)【要約】【課題】  常に、目標とする出力レベルを有する信号を外部へ送信することが出来る無線通信装置を提供する。【解決手段】  本発明に係る無線通信装置は、外部から供給されるゲイン指令値に応じてゲインが設定される増幅回路122と、該増幅回路122にゲイン指令値を供給する制御回路112と、該増幅回路122の近傍温度を検出する温度センサ14とを具えている。前記制御回路112は、送信信号の出力レベルの目標値と前記温度センサ14によって検出された温度とからゲイン指令値を導出して前記増幅回路122に供給する。【選択図】      図１
2006020244.tif 000002
【特許請求の範囲】
【請求項１】
入力信号を増幅して外部へ送信する無線通信装置であって、外部から供給されるゲイン指令値に応じてゲインが設定される増幅回路と、該増幅回路にゲイン指令値を供給する制御回路とを具えた無線通信装置において、増幅回路の近傍温度を検出する温度センサを具え、前記制御回路は、送信信号の出力レベルの目標値と前記温度センサによって検出された温度とからゲイン指令値を導出して前記増幅回路に供給することを特徴とする無線通信装置。
【請求項２】
前記制御回路は、
増幅回路の近傍温度が特定の温度であるときの送信信号の出力レベルとゲイン指令値の関係が規定されている第１関係規定手段と、
増幅回路の近傍温度と、該温度での送信信号の出力レベルと前記特定温度での送信信号の出力レベルの差との関係が規定されている第２関係規定手段と、
第２関係規定手段に規定されている関係に従って、前記温度センサによって検出された温度から出力レベル差を導出する第１導出手段と、
第１関係規定手段に規定されている関係に従って、送信信号の出力レベルの目標値と導出された出力レベル差とからゲイン指令値を導出する第２導出手段と、
導出されたゲイン指令値を前記増幅回路に供給する供給手段
とを具えている請求項１に記載の無線通信装置。
【請求項３】
第２関係規定手段に規定されている関係は、増幅回路の近傍温度を変数とする一次式によって表わされる請求項２に記載の無線通信装置。
【発明の詳細な説明】
【技術分野】
【０００１】
本発明は、入力信号を増幅して外部へ送信する無線通信装置に関するものである。
【背景技術】
【０００２】
近年、ホームサーバにテレビジョン受像機などの複数の映像機器を接続してなるホームネットワークシステムが注目されており、該システムにおいては、例えば、ホームサーバから該サーバに蓄積されている映像データをテレビジョン受像機に供給して、該受像機の画面に映像を映し出すことが出来る。
図３は、ホームサーバに内蔵されている送信モジュール(２)と映像機器に内蔵されている受信モジュール(３)を表わしている。送信モジュール(２)は、１枚の基板上に配置されたＢＢ(ベースバンド)ＩＣ(21)及びＲＦＩＣ(22)を具え、ＲＦＩＣ(22)には、受信モジュール(３)のアンテナ(31)との間で信号の送受信を行なうためのアンテナ(23)が接続されている。
【０００３】
ＢＢＩＣ(21)は、入力された映像データに対してＯＦＤＭ(Orthogonal  Frequency  Division  Multiplex)変調を施すＯＦＤＭ変調回路(211)と、該変調回路(211)の動作を制御する制御回路(212)とを具えている。一方、ＲＦＩＣ(22)は、ＢＢＩＣ(21)のＯＦＤＭ変調回路(211)から得られるベースバンド信号に周波数変換処理を施す混合回路(221)と、混合回路(221)の出力信号を増幅するＶＧＡ(Variable  Gain  Amplifier)回路(222)とを具えている。該ＶＧＡ回路(222)には、ＢＢＩＣ(21)の制御回路(212)からＶＧＡ設定値が供給され、該設定値に応じてＶＧＡ回路(222)のゲインが設定される。
【０００４】
ＢＢＩＣ(21)の制御回路(212)の内蔵メモリ(図示省略)には、図４に示す如く送信信号の出力レベル(以下、送信出力レベルという)とＶＧＡ設定値の関係を表わすテーブルが格納されている。尚、テーブル中において、送信出力レベルは、１ｍ[Ｗ]を０[ｄＢｍ]とするｄＢｍ単位で表わされている。又、ＶＧＡ設定値は、０〜１２７の範囲内の値をとる。
制御回路(212)は、該テーブルを参照して、目標とする送信出力レベルからＶＧＡ設定値を導出し、該設定値をＲＦＩＣ(22)のＶＧＡ回路(222)に供給する。該設定値に応じて、ＶＧＡ回路(222)のゲインが設定されることになる。
ＯＦＤＭ変調回路(211)に入力された映像データはＯＦＤＭ変調され、これによって得られるベースバンド信号は混合回路(221)にて周波数変換される。混合回路(221)から得られる信号は、ＶＧＡ回路(222)にて前記ゲインに応じた信号レベルまで増幅された後、アンテナ(23)から受信モジュール(３)に向けて送信される。
【０００５】
受信モジュール(３)では、アンテナ(31)によって受信された信号の信号レベルと所定の信号レベルとが比較され、その比較結果に応じて、信号レベルを上昇させるべき旨及びその上昇量を表わす指令、或いは信号レベルを低下させるべき旨及びその低下量を表わす指令が送信モジュール(２)に送信される。
送信モジュール(２)の制御回路(212)は、上述の指令に応じて目標とする送信出力レベルを決定した後、図４に示すテーブルを参照して該送信出力レベルから新たなＶＧＡ設定値を導出し、該設定値をＲＦＩＣ(22)のＶＧＡ回路(222)に供給する。該新たなＶＧＡ設定値に応じて、ＶＧＡ回路(222)のゲインが変更されることになる。
ＯＦＤＭ変調回路(211)に入力された映像データはＯＦＤＭ変調され、これによって得られるベースバンド信号は混合回路(221)にて周波数変換される。混合回路(221)から得られる信号は、ＶＧＡ回路(222)にて前記ゲインに応じた信号レベルまで増幅された後、アンテナ(23)から受信モジュール(３)に向けて送信される。この様にして、受信モジュール(３)は、前記所定の信号レベルを有する映像信号を受信することになる。
【０００６】
尚、利得可変部の温度補償を行なう無線通信装置が提案されている(特許文献１参照)。該無線通信装置においては、感温部と抵抗器の接続中点の電圧レベルが最適なレベルに変換され、最適なレベルの電圧が利得変換部に供給される。
【特許文献１】特開２００１−１４４５４８号公報
【発明の開示】
【発明が解決しようとする課題】
【０００７】
ところで、家庭用無線通信装置の分野においては、送信信号の出力レベルが法律により規制されており、上記送信モジュール(２)においては、目標とする送信出力レベルを法規制の上限値以下に抑えて該送信出力レベルからＶＧＡ設定値を導出することとしている。
しかしながら、目標とする送信出力レベルを法規制の上限値以下に抑えてＶＧＡ設定値を導出しているにも拘わらず、実際にアンテナ(23)から送信される信号の出力レベルが、目標とする送信出力レベルを上回って法規制の上限値を超えてしまうことがあった。
本発明の目的は、常に、目標とする出力レベルを有する信号を外部へ送信することが出来る無線通信装置を提供することである。
【課題を解決するための手段】
【０００８】
そこで、本発明者は、実際に送信される信号の出力レベルが法規制の上限値を超える原因を次のように究明した。
制御回路(212)からＶＧＡ回路(222)に供給されるＶＧＡ設定値が同一であっても、ＶＧＡ回路(222)のゲインはＶＧＡ回路(222)の近傍温度が低下するにつれて上昇するため、送信信号の出力レベルはＶＧＡ回路(222)の近傍温度が低下するにつれて上昇する。しかし、従来の送信モジュール(２)においては、ＶＧＡ回路(222)の近傍温度に拘わらず、ある温度での送信出力レベルとＶＧＡ設定値の関係を表わす図４に示すテーブルを参照してＶＧＡ設定値を導出するため、目標とする送信出力レベルを法規制の上限値と同一値或いは該上限値よりも僅かに小さな値としてＶＧＡ設定値を導出した場合、ＶＧＡ回路(222)の近傍温度が前記温度よりも低い場合には、ＶＧＡ回路(222)のゲインがその温度で設定されるゲインよりも大きくなり、送信出力レベルが前記目標とする送信出力レベルよりも大きくなって法規制の上限値を超えることとなる。
【０００９】
本発明に係る無線通信装置は、入力信号を増幅して外部へ送信するものであって、外部から供給されるゲイン指令値に応じてゲインが設定される増幅回路と、該増幅回路にゲイン指令値を供給する制御回路とを具えている。そして、該無線通信装置は、増幅回路の近傍温度を検出する温度センサを具え、前記制御回路は、送信信号の出力レベルの目標値と前記温度センサによって検出された温度とからゲイン指令値を導出して前記増幅回路に供給する。
【００１０】
上記本発明に係る無線通信装置においては、送信信号の出力レベルの目標値と前記温度センサによって検出された温度とから、増幅回路の近傍温度によるゲインの変動を加味したゲイン指令値が導出されて増幅回路に供給される。これによって、増幅回路のゲインを送信信号の出力レベルの目標値に応じた値に設定することが出来、増幅回路の近傍温度に拘わらず、常に、目標とする出力レベルを有する信号を外部へ送信することが出来る。
【００１１】
具体的には、前記制御回路は、
増幅回路の近傍温度が特定の温度であるときの送信信号の出力レベルとゲイン指令値の関係が規定されている第１関係規定手段と、
増幅回路の近傍温度と、該温度での送信信号の出力レベルと前記特定温度での送信信号の出力レベルの差との関係が規定されている第２関係規定手段と、
第２関係規定手段に規定されている関係に従って、前記温度センサによって検出された温度から出力レベル差を導出する第１導出手段と、
第１関係規定手段に規定されている関係に従って、送信信号の出力レベルの目標値と導出された出力レベル差とからゲイン指令値を導出する第２導出手段と、
導出されたゲイン指令値を前記増幅回路に供給する供給手段
とを具えている。
【００１２】
増幅回路の近傍温度が前記特定温度より低いときの送信信号の出力レベルは、該近傍温度が前記特定温度であるときに比べて高くなる。
そこで、上記具体的構成においては、先ず、第２関係規定手段に規定されている関係に従って、温度センサによって検出された増幅回路の近傍温度から、該温度での送信信号の出力レベルと前記特定温度での送信信号の出力レベルの差が導出される。ここで、送信信号の出力レベルは増幅回路の近傍温度に略比例し、増幅回路の近傍温度と前記出力レベル差の関係、即ち第２関係規定手段に規定されている関係は、増幅回路の近傍温度を変数とする一次式によって精度良く表わすことが出来る。
その後、第１関係規定手段に規定されている関係に従って、送信信号の出力レベルの目標値と上述の如く導出された出力レベル差とからゲイン指令値が導出される。この様にして、増幅回路の近傍温度によるゲインの変動を加味したゲイン指令値が導出されることになる。
【発明の効果】
【００１３】
本発明に係る無線通信装置によれば、常に、目標とする出力レベルを有する信号を外部へ送信することが出来る。
【発明を実施するための最良の形態】
【００１４】
以下、本発明を、ホームサーバ等に内蔵される図１に示す送信モジュール(１)に実施した形態につき、図面に沿って具体的に説明する。
本発明に係る送信モジュール(１)は、図示の如く、１枚の基板上に配置されたＢＢＩＣ(11)及びＲＦＩＣ(12)を具え、ＲＦＩＣ(12)には、受信モジュールとの間で信号の送受信を行なうためのアンテナ(13)が接続されている。
ＢＢＩＣ(11)は、入力された映像データに対してＯＦＤＭ変調を施すＯＦＤＭ変調回路(111)と、該変調回路(111)の動作を制御する制御回路(112)とを具えている。一方、ＲＦＩＣ(12)は、ＢＢＩＣ(11)のＯＦＤＭ変調回路(111)から得られるベースバンド信号に周波数変換処理を施す混合回路(121)と、混合回路(121)の出力信号を増幅するＶＧＡ回路(122)とを具えている。該ＶＧＡ回路(122)には、ＢＢＩＣ(11)の制御回路(112)からＶＧＡ設定値が供給され、該設定値に応じてＶＧＡ回路(122)のゲインが設定される。
【００１５】
又、ＲＦＩＣ(12)のＶＧＡ回路(122)の近傍位置には、サーミスタからなる温度センサ(14)が設置されており、該温度センサ(14)の出力信号は、ＢＢＩＣ(11)の前記制御回路(112)に供給される。
制御回路(112)の内蔵メモリ(図示省略)には、特定の温度での送信出力レベルとＶＧＡ設定値の関係を表わす図４に示すテーブルが格納されると共に、ＶＧＡ回路(122)の近傍温度と、該温度での送信出力レベルと前記特定温度での送信出力レベルの差との関係を表わす後述の一次式が格納されている。
【００１６】
図２は、ＶＧＡ回路(122)の近傍温度が０℃、２０℃、４０℃、６０℃、８０℃のときのＶＧＡ設定値と送信出力レベルの関係を表わしている。図示の如く、送信出力レベルは、ＶＧＡ設定値に拘わらず、ＶＧＡ回路(122)の近傍温度が上昇するにつれて低下しており、ＶＧＡ回路(122)の近傍温度に略比例する。従って、ＶＧＡ回路(122)の近傍温度ｔと前記送信出力レベル差ΔＬの関係は、前記特定温度をｔoとして、下記数１に示す一次式によって精度良く表わすことが出来る。
【００１７】
(数１)
ΔＬ＝ａ・(ｔ−ｔo)
ａ：定数
【００１８】
図１の制御回路(112)は、先ず、温度センサ(14)によって検出されたＶＧＡ回路(122)の近傍温度ｔを用いて、上記数１から送信出力レベル差ΔＬを算出し、目標とする送信出力レベルから該送信出力レベル差ΔＬを減算する。その後、図４に示すテーブルを参照して、該減算結果からＶＧＡ設定値を導出する。この様にして、ＶＧＡ回路(122)の近傍温度によるゲインの変動を加味したＶＧＡ設定値が導出されることになる。
例えば、目標とする送信出力レベルが６ｄＢｍである場合には、ＶＧＡ設定値として後述の値が導出される。尚、以下では、上記数１の定数ａを−０.２、前記特定温度ｔoを２５℃として説明する。
温度センサ(14)によって検出された温度ｔが５℃である場合には、送信出力レベル差ΔＬは、上記数１から４ｄＢｍ(＝−０.２×(５−２５))となる。即ち、ＶＧＡ回路(122)の近傍温度が５℃であるときの送信出力レベルは、該近傍温度が２５℃であるときに比べて４ｄＢｍだけ高くなる。そこで、目標とする送信出力レベル(＝６)から該送信出力レベル差(＝４)を減算し、図４に示すテーブルを参照して、その減算結果(＝２)からＶＧＡ設定値として４０の値が導出される。
【００１９】
上述の如く導出されたＶＧＡ設定値は、ＲＦＩＣ(12)のＶＧＡ回路(122)に供給され、該設定値に応じてＶＧＡ回路(122)のゲインが設定される。この様にして、ＶＧＡ回路(122)の近傍温度に拘わらず、ＶＧＡ回路(122)のゲインが目標とする送信出力レベルに応じた値に設定されることになる。
ＯＦＤＭ変調回路(111)に入力された映像データはＯＦＤＭ変調され、これによって得られるベースバンド信号は混合回路(121)にて周波数変換される。混合回路(121)から得られる信号は、ＶＧＡ回路(122)にて前記ゲインに応じた信号レベルまで増幅された後、アンテナ(13)から受信モジュールに送信される。
【００２０】
本発明に係る送信モジュール(１)においては、上述の如く、ＶＧＡ回路(122)の近傍温度に拘わらず、ＶＧＡ回路(122)のゲインが目標とする送信出力レベルに応じた値に設定されるので、常に、目標とする送信出力レベルを有する映像信号を受信モジュールに送信することが出来る。
【００２１】
尚、本発明の各部構成は上記実施の形態に限らず、特許請求の範囲に記載の技術的範囲内で種々の変形が可能である。
例えば、ＶＧＡ回路の近傍温度毎に図４に示す如きテーブルを作成して制御回路の内蔵メモリに格納しておき、複数のテーブルの中から温度センサによって検出された温度に応じた１つのテーブルを選択し、該テーブルを参照して、目標とする送信出力レベルからＶＧＡ設定値を導出する構成を採用することも可能である。
【図面の簡単な説明】
【００２２】
【図１】本発明を実施した送信モジュールの構成を表わすブロック図である。
【図２】ＶＧＡ回路の近傍温度とＶＧＡ設定値と送信出力レベルの関係を表わすグラフである。
【図３】従来の送信モジュールと受信モジュールの構成を表わすブロック図である。
【図４】送信出力レベルとＶＧＡ設定値の関係を表わすテーブルである。
【符号の説明】
【００２３】
(１)   送信モジュール
(11)   ＢＢＩＣ
(111)  ＯＦＤＭ変調回路
(112)  制御回路
(12)   ＲＦＩＣ
(121)  混合回路
(122)  ＶＧＡ回路
(13)   アンテナ
【図１】
2006020244.tif 000003
【図２】
2006020244.tif 000004
【図３】
2006020244.tif 000005
【図４】
2006020244.tif 000006